(57)【要約】【解決手段】システムが、例えば巻き取りおよび展開が可能なスクリーン／壁／仕切り／パーティションなどの格納可能なパネル構造物を備える。パネル構造物は、互いに間隔を空けて位置する後面（４７）および前面（４８）を備える。前面（４８）は、互いに別個であり、かつパネル構造物の巻き取りを可能にするために互いに離れるように移動するストリップ（２３、４０）のアレイで少なくとも部分的に形成され、後面（４７）は、ストリップ（２３、４０）を互いに接続し、かつシートの巻き取り時にこれらのストリップ（２３、４０）を互いに離れるように移動させることができるように曲がることができるヒンジを形成する。【選択図】図２０
2021522030.tif 000002
【特許請求の範囲】
【請求項１】
例えば巻き取りおよび展開が可能なスクリーン／壁／仕切り／パーティションなどの格納可能なパネル構造物を備えており、前記平坦な構造物は、互いに間隔を空けて位置する後面および前面を備え、前記前面は、互いに別個であり、かつ前記パネル構造物の巻き取りを可能にするために互いに離れるように移動するストリップのアレイで少なくとも部分的に形成され、前記後面は、前記ストリップを互いに接続し、かつ前記シートの巻き取り時に前記ストリップを互いに離れるように移動させることができるように曲がることができるヒンジを形成している、
システム。
【請求項２】
前記シートの展開時に、隣同士のストリップからなる各ペアのストリップが、互いに当接し、あるいは幅広い方のストリップの幅の２倍以下の間隔にて隔てられる、請求項１に記載のシステム。
【請求項３】
前記シートの展開時に、隣同士のストリップは、互いに当接し、あるいは隣同士のストリップからなるペアのうちの幅広い方のストリップの幅以下の間隔にて隔てられる、請求項２に記載のシステム。
【請求項４】
前記構造物は、前面シートおよび後面シートで形成され、セルまたは低密度材料が、前記前面シートと前記後面シートとを隔てている、請求項１〜３のいずれか一項に記載のシステム。
【請求項５】
前記ストリップは、前記前面に折り目をつけ、前記前面を切断し、あるいは前記前面を起こすことによって形成される、請求項１〜４のいずれか一項に記載のシステム。
【請求項６】
前記構造物は、０．１ｍｍ〜２５ｍｍ、例えば１ｍｍ〜１５ｍｍ、例えば３ｍｍ〜１０ｍｍの厚さを有する、請求項１〜５のいずれか一項に記載のシステム。
【請求項７】
前記ストリップは各々、０．５ｍｍ〜１００ｍｍ、例えば１ｍｍ〜５０ｍｍ、例えば２ｍｍ〜５ｍｍまたは１０ｍｍ〜４０ｍｍなどの幅を有する、請求項１〜６のいずれか一項に記載のシステム。
【請求項８】
隣同士のストリップからなる各ペアの間の間隔は、おおむね１００ｍｍ以下、例えば５０ｍｍ以下、例えば１０ｍｍ以下である、請求項１〜７のいずれか一項に記載のシステム。
【請求項９】
前記構造物を展開された状態に支持するように構成された支持体を含む、請求項１〜８のいずれか一項に記載のシステム。
【請求項１０】
前記支持体は、少なくとも１つのＳＴＥＭを備え、前記ＳＴＥＭは、前記ＳＴＥＭを非コイル状にすることによって軸線に沿って伸ばすことが可能、かつ前記ＳＴＥＭをコイル状にすることによって前記同じ軸線に沿って再び格納することが可能であり、前記構造物は、前記少なくとも１つのＳＴＥＭがコイル状および非コイル状になるときに前記構造物の巻き取りおよび展開を生じさせるアタッチメントによって、前記少なくとも１つのＳＴＥＭ上に支持される、請求項９に記載のシステム。
【請求項１１】
前記少なくとも１つのＳＴＥＭは、前記構造物の前記後面に隣接して位置し、随意により前記後面に取り付けられる、請求項１０に記載のシステム。
【請求項１２】
前記少なくとも１つのＳＴＥＭは、前記構造物の前記後面の一領域に隣接して位置し、前記後面は、前記領域に、前記ＳＴＥＭおよび前記構造物が一緒にコイル状にされるときに前記後面が前記領域において広がることができる一方で、前記ＳＴＥＭおよび前記構造物が一緒にコイル状にされるときに前記ストリップの曲がりを可能にする前記ヒンジが前記構造物の少なくとも１つの他の領域によって形成されるように、前記前面の前記ストリップの間の分離に整列したスリットを含む、請求項１０または１１に記載のシステム。
【請求項１３】
前記少なくとも１つのＳＴＥＭは、伸びたときに、凹側および凸側を有し、前記構造物は、例えば接着剤、溶接、縫い目、リベット、ハトメ、またはフックとループとによる接続部などの破ることができるアタッチメントによって、前記ＳＴＥＭの前記凸側の中央領域に取り付けられ、例えば前記ＳＴＥＭの中心軸または前記中心軸に隣接する領域に取り付けられる、請求項１０〜１２のいずれか一項に記載のシステム。
【請求項１４】
前記支持体は、少なくとも２つのＳＴＥＭを備え、該少なくとも２つのＳＴＥＭは、互いに間隔を空けて位置し、平行な軸線に沿って伸縮可能であり、前記構造物は、前記少なくとも２つのＳＴＥＭによって支持される、請求項１０〜１３のいずれか一項に記載のシステム。
【請求項１５】
前記ＳＴＥＭは、水平方向、または斜め上方または下方を含む上方または下方へと非コイル状にされ、あるいは内側または外側に湾曲させられるように構成される、請求項１０〜１４のいずれか一項に記載のシステム。
【請求項１６】
前記支持体は、前記少なくとも１つのＳＴＥＭを支持するハウジングと、前記ハウジング内の回転可能なスプールとを含み、前記構造物を、前記スプール上に巻き取ることができる、請求項１５に記載のシステム。
【請求項１７】
前記スプールは、前記スプール上に巻き付けられた前記構造物を支持するように構成された底板を含む、請求項１６に記載のシステム。
【請求項１８】
前記構造物の巻き取りを支援するように前記スプールに作用するばねを含む、請求項１６または１７に記載のシステム。
【請求項１９】
前記支持体は、前記少なくとも１つのＳＴＥＭのうちの前記ハウジングから遠い端部を支持するハンドルを含む、請求項１６〜１８のいずれか一項に記載のシステム。
【請求項２０】
前記前面は、前記ＳＴＥＭが位置する領域に凹所を含むことにより、前記ＳＴＥＭをコイル状にするときに前記後面が外側に引き伸ばされ、前記前面が内側に押し込まれる、請求項１１に記載のシステム。
【請求項２１】
前記支持体は、少なくとも２つの柱を備え、前記柱は、前記構造物に取り付けられ、前記ストリップに平行に延びることで、前記柱を前記構造物と一緒に巻き取ることができる、請求項９〜１５のいずれか一項に記載のシステム。
【請求項２２】
前記支持体は、前記柱に取り付けられた少なくとも１つのＳＴＥＭを含む、請求項２１に記載のシステム。
【請求項２３】
前記構造物を巻き取られた状態に保持するための少なくとも１つの留め具を含み、該留め具は、例えばフックとループ（Ｖｅｌｃｒｏ）、ホック、または磁気固定具であってよい、請求項１〜２２のいずれか一項に記載のシステム。
【請求項２４】
一時的または恒久的な屋内または屋外スクリーン、部屋の仕切り、引き下ろしドア（例えば、ガレージ扉）などのドア、窓の日よけ、カーテンまたはブラインド、遮音スクリーン、可搬パーティションスクリーン、システム全体が非鉄である場合のＭＲＩ走査室のスクリーンの形態であり、随意によりホワイトボード、黒板、映写面、ピンボードおよび／またはフックとループとによるボード、ポスター、鏡、太陽光アレイ、鏡面フィルム面、パラボラアンテナ、装飾パネル、光起電ソーラーアレイ、例えばＯＬＥＤ  ＴＶなどの可撓テレビまたはモニタ、またはＬＥＤライトとして機能することができ、あるいは例えば上述の機能を提供するために他の材料を取り付けることが可能である支持構造体として機能することができる、請求項１〜２３のいずれか一項に記載のシステム。
【請求項２５】
少なくとも１つのコイル状にすることができる割り管型伸縮部材（ＳＴＥＭ）であって、中心軸を有しており、前記ＳＴＥＭを非コイル状にすることによって軸線に沿って伸ばすことが可能、かつ前記ＳＴＥＭをコイル状にすることによって前記同じ軸線に沿って再び格納することが可能であり、非コイル状にされるときに前記ＳＴＥＭの先端を形成する端部を有し、伸ばされた／非コイル状にされたときに凹側および凸側を有する、少なくとも１つのＳＴＥＭと、
１つ以上の接続部によって前記少なくとも１つのＳＴＥＭの前記先端の前記凸側に取り付けられることで、格納時にコイル状になる前記ＳＴＥＭの前記先端の作用によって該コイル状のＳＴＥＭの残りの部分に向かって付勢されるハンドルと
を備えるＳＴＥＭシステム。
【請求項２６】
前記ハンドルは、前記少なくとも１つのコイル状にすることができるＳＴＥＭが伸ばされたときに地面に係合することで、前記ＳＴＥＭの前記先端を支持する、請求項１に記載の割り管型伸縮部材（ＳＴＥＭ）システム。
【請求項２７】
前記ハンドルは、少なくとも１つのキャスタまたは滑り足上に支持される、請求項２に記載の割り管型伸縮部材（ＳＴＥＭ）システム。
【請求項２８】
前記ハンドルを前記少なくとも１つのＳＴＥＭの前記先端の前記凸側に取り付ける接続部が、前記ＳＴＥＭの前記中心軸上に位置し、または前記ＳＴＥＭの前記中心軸に隣接して位置する、請求項２５〜２７のいずれか一項に記載の割り管型伸縮部材（ＳＴＥＭ）システム。
【請求項２９】
前記少なくとも１つのコイル状にすることができるＳＴＥＭの前記先端は、前記ハンドルに対して平たくクランプされる、請求項２５〜２８のいずれか一項に記載の割り管型伸縮部材（ＳＴＥＭ）システム。
【請求項３０】
前記ＳＴＥＭは、伸ばされたときに、５０ｍｍ〜１００ｍｍ、好ましくは６５〜８５ｍｍ、より好ましくは約７５ｍｍの幅を有し、１００〜１８０度の間、好ましくは約１３０度の円弧を定める、請求項２５〜２９のいずれか一項に記載の割り管型伸縮部材（ＳＴＥＭ）システム。
【請求項３１】
前記少なくとも１つのコイル状にすることができるＳＴＥＭのコイル状にされた部分を保持するためのハウジングを含む、請求項２５〜３０のいずれか一項に記載の割り管型伸縮部材（ＳＴＥＭ）システム。
【請求項３２】
前記ハウジングは、地面に係合し、随意により少なくとも１つのキャスタまたは滑り足を含む、請求項２５〜３１のいずれか一項に記載の割り管型伸縮部材（ＳＴＥＭ）システム。
【請求項３３】
前記少なくとも１つのＳＴＥＭに取り付けられたスクリーンを含み、該スクリーンは、前記少なくとも１つのＳＴＥＭおよび該スクリーンを一緒にコイル状および非コイル状にすることを可能にするアタッチメントによって前記少なくとも１つのＳＴＥＭに取り付けられる、請求項２５〜３２のいずれか一項に記載の割り管型伸縮部材（ＳＴＥＭ）システム。
【請求項３４】
少なくとも２つのＳＴＥＭを備え、該少なくとも２つのＳＴＥＭは、互いに間隔を空けて位置し、平行な軸線に沿って伸縮可能であり、前記スクリーンは、向かい合う辺に沿って前記少なくとも２つのＳＴＥＭによって支持される、請求項９に記載の割り管型伸縮部材（ＳＴＥＭ）システム。
【請求項３５】
前記ハンドル、前記少なくとも２つのＳＴＥＭ、および前記ハウジングが、前記スクリーンを支持する矩形のフレームを形成する、請求項７または８と請求項９および１０の両方との組み合わせに記載の割り管型伸縮部材（ＳＴＥＭ）システム。
【請求項３６】
前記少なくとも１つのＳＴＥＭは、スプールに取り付けられる、請求項２５〜３５のいずれか一項に記載の割り管型伸縮部材（ＳＴＥＭ）システム。
【請求項３７】
前記スプールは、前記スクリーンの格納を支援するように構成されたばねによって付勢される、請求項１２に記載の割り管型伸縮部材（ＳＴＥＭ）システム。
【請求項３８】
前記少なくとも１つのＳＴＥＭの前記先端は、例えば接着剤または機械的な固定によって、例えば縫合、溶接、接着剤、リベット、またはハトメにより、随意によりボルトとの組み合わせにおいて、ただ１つの地点において前記ハンドルに直接取り付けられる、請求項２５〜３７のいずれか一項に記載の割り管型伸縮部材（ＳＴＥＭ）システム。
【請求項３９】
前記少なくとも１つのＳＴＥＭの前記先端は、湾曲した形状または斜めの／面取りされた形状（すなわち、前記ＳＴＥＭの端部が前記ＳＴＥＭの中心軸に直交しない）である、請求項２５〜３８のいずれか一項に記載の割り管型伸縮部材（ＳＴＥＭ）システム。
【請求項４０】
前記少なくとも１つのＳＴＥＭをクランプするクランプを含み、前記クランプは、前記少なくとも１つのＳＴＥＭを前記ＳＴＥＭの長さの途中でクランプし、前記クランプの領域において前記ＳＴＥＭのねじれを引き起こす前記クランプの領域における前記ＳＴＥＭの前記凹側および凸側の形成を防止する、請求項２５〜３９のいずれか一項に記載の割り管型伸縮部材（ＳＴＥＭ）システム。
【請求項４１】
一時的または恒久的な屋内または屋外スクリーン、部屋の仕切り、展示スクリーン、レーザまたはＸ線または溶接のための安全スクリーン、引き下ろしドア（例えば、ガレージ扉）などのドア、窓の日よけ、カーテンまたはブラインド、遮音スクリーン、可搬パーティションスクリーン、システム全体が非鉄である場合のＭＲＩ走査室のスクリーンの形態であり、随意によりホワイトボード、黒板、映写面、ピンボードおよび／またはフックとループとによるボード、ポスター、鏡、太陽光アレイ、鏡面フィルム面、パラボラアンテナ、装飾パネル、光起電ソーラーアレイ、例えばＯＬＥＤ  ＴＶなどの可撓テレビまたはモニタ、またはＬＥＤライトとして機能することができ、あるいは例えば上述の機能を提供するために他の材料を取り付けることが可能である支持構造体として機能することができる、請求項１〜４０のいずれか一項に記載のシステム。
【請求項４２】
前記少なくとも１つのＳＴＥＭは、水平方向、または斜め上方または下方を含む上方または下方へと非コイル状にされ、あるいは内側または後方に湾曲させられるように構成される、請求項１〜４１のいずれか一項に記載のシステム。
【発明の詳細な説明】
【技術分野】
【０００１】
本出願は、格納式の構造物に関し、とくには巻き取られた状態から展開状態へと展開でき、かつ展開状態から再び巻き取られた状態へと格納することができる格納式のスクリーン／壁／仕切り／パーティションに関する。この構造物は、展開状態の維持を可能にしつつ、例えば保管のために円筒形の形状へと巻き取ることもできるように、１つ以上の割り管型伸縮部材（ｓｐｌｉｔ  ｔｕｂｅ  ｅｘｔｅｎｄａｂｌｅ  ｍｅｍｂｅｒ：ＳＴＥＭ）を備えることができる。ＳＴＥＭは、構造物を展開時に堅固に保持するとともに、構造物内の垂直ロッドにそれらの閉鎖を助けるようなやり方で取り付けられて、円筒状の構造物をコイル状の状態に保つことができる。このロッドへの取り付けを、スクリーンを挿入するためのフレームをＳＴＥＭを使用して生成するスクリーン構造物の自動閉鎖ハンドルを生み出すために使用することができる。
【背景技術】
【０００２】
現時点において、国際公開第９７／３５７０６号「ａｎ  ｅｘｔｅｎｄａｂｌｅ  ｍｅｍｂｅｒ」および国際公開第８８／０８６２０号「ａｎ  ｅｌｏｎｇａｔｅ  ｈｏｌｌｏｗ  ｅｌｅｍｅｎｔ」に記載のとおりの双安定リール複合（Ｂｉ−ｓｔａｂｌｅ  Ｒｅｅｌｅｄ  Ｃｏｍｐｏｓｉｔｅ：ＢＲＣ）材料技術が、国際公開第２０１０／１０９２４７号「Ｓｃｒｅｅｎ」、欧州特許出願公開第３２５１５６２号「Ｒｅｔｒａｃｔａｂｌｅ  ｓｃｒｅｅｎ」、および米国特許出願公開第２０１７０３２５６０５号「Ｍｅｔｈｏｄｓ  ｆｏｒ  ｉｍｐｒｏｖｉｎｇ  ｓｔｒａｉｇｈｔｎｅｓｓ  ｉｎ  ｔｈｅ  ｖｅｒｔｉｃａｌ  ｐｌａｎｅ  ｏｆ  ｒｅｔｒａｃｔａｂｌｅ  ｓｃｒｅｅｎ  ｐａｒｔｉｔｉｏｎｓ」のように、ＫｗｉｃｋＳｃｒｅｅｎ（商標）製品において使用するために、Ｋｏｒｎ  Ｗａｌｌ  Ｌｔｄによって製造されている。ＢＲＣ技術により、剛体中空割り管型伸縮部材（ＳＴＥＭ）を、巻き取り状態（１）から展開状態（２）へと変化するように、巻き取ることが可能である。これが図１に示されている。
【０００３】
欧州特許出願公開第３２５１５６２号は、フレーム上に支持された巻き取り式スクリーンを開示しており、フレームの上部および下部がＳＴＥＭで形成され、フレームの一方側がハウジングによって形成され、他方側が細長い垂直ハンドルによって形成されている。スクリーンおよびＳＴＥＭをハウジング内に巻き取ることによって、スクリーンを格納することができる。一実施形態においては、典型的にはポリエステルなどの曲がりにくいポリマーで作られるスクリーンの直線度を改善するために、広い間隔で配置された少数の細い剛体ロッドが、ＳＴＥＭを平行に保つためにスクリーンの内面に接続される。欧州特許出願公開第３２５１５６２号は、これらのロッドを、ＳＴＥＭの巻き取りを妨げかねないため、ＳＴＥＭに取り付けるべきではないと述べている。さらに、欧州特許出願公開第３２５１５６２号は、ハンドルをスクリーンの設計に取り入れることができるように、ＳＴＥＭにクランプを取り付ける利点も示している。これらのクランプはすべて、ＳＴＥＭの向きをコイル状または平坦として固定するように示されている。歴史的に、ＳＴＥＭが完全にコイル状になることを防ぐ「Ｃ」字形にＳＴＥＭを保持し、あるいは強制閉鎖においてＳＴＥＭを支援する固定された平らな開放状態に保持する固定クランプが使用されてきたが、結果的に、挿入される内側スクリーンが複雑な形状になり、内側スクリーンが変形し、しわまたはひだが生じる恐れが生じる。理想的には、内側スクリーンのためのフレームは、一貫性があり、矩形の形状であると考えられる。
【０００４】
他の既知の構成として、欧州特許出願公開第１５９４３８４号、米国特許出願公開第２００７１９３７０５号、米国特許第５８１９８３５号、米国特許第５８７５５９７号、および独国実用新案出願公開第２０２０１１１０９６６５号に記載の構成が挙げられる。
集中した作業または会議あるいはバナーの展示のためのスペースを生み出すために、オープンプランのオフィスおよび学習環境において柔軟性に対する需要が高まっている。既知の可搬の壁の多くは、その一部を上述したが、かさばって重いか、薄くて貧弱であるか、あるいは複雑であり、高価になり、魅力的でなく、あるいは迅速かつ／または頻繁な使用および展開が現実的でない。
【発明の概要】
【０００５】
本開示は、先行技術に関連する問題に対処し、あるいは少なくとも改善することを目的とする。
【０００６】
本開示は、例えば、音響特性を備え、設置および撤去が容易であり、柔軟性があり、保管が容易な可搬の壁を提供することを目的とする。これは、多くのそのような環境において、とりわけ例えば共同部屋の学生、オープンプランのオフィスビルの労働者、展示ブースの営業担当者など、空間の存在者にとって直感的かつ容易に使用できる場合に有益になり得る。
【０００７】
ソーシャルメディアが盛んになり、一般の人々が自身のスマートフォンで撮影できる内容を映像としてライブストリーミングできるようになってきたことにより、本開示は、例えば重傷を負ったサッカー選手をファンの目から隠すなど、事故の際に患者を公衆の視界から隠すために救急サービスによって屋外で使用することができる可搬のプライバシー構造物、スクリーン／壁／仕切り／パーティションを提供することも、目的とすることができる。上述の種類の展開可能な壁は、例えばにぎやかなストリートフェスティバルまたはにぎやかな経路におけるマラソンにおいて誰かが倒れた場合に、例えば救急医療隊員が群衆に妨げられることなく働くための空間を境界付けるために、公共の集まりにおいて使用することもできる。同じまたは同様の設備が、印刷されたときに、例えば屋内または屋外の展示会での使用に有益と考えられる。
【０００８】
本開示は、ＳＴＥＭが妨げられることなくロール状になり、あるいはロールから展開され、この状態の変化からもたらされる構造的／機能的利益が利用されるようなやり方で、ＳＴＥＭの凸側の中央領域に材料を取り付けることを説明する。
【０００９】
さらに、本出願は、ハンドルをＳＴＥＭへと、両者を互いに充分に保持し、かつＳＴＥＭが湾曲した状態から平たい状態へと自由に変化できるようなやり方で取り付ける新規な方法を説明し、これは、ハンドルが構造物に向かって完全に引っ込められるときに有益な強制（「スナップ」）閉鎖機能をもたらすとともに、内側のスクリーンを挿入するためのすっきりとした矩形のフレームも生み出す。
【００１０】
また、図１７がほんの一例である種々の新規な構造物も開示され、これは、中実なボード材料４１（分かりやすくするために参照番号を提示するが、これは決して本開示を限定するものではない）から製作され、中実なボード材料４１は部分的に切断され、後面４７がボード材料を巻き取り可能にするためのヒンジとなるように、前面４８が切断され、コア部分が部分的に切断されている。理想的には、この構造物は、展開時に剛性をもたらすとともに、格納時に円筒形の形状に支持するために、ＳＴＥＭ３によってその中央領域に沿って支持される。
【００１１】
本開示の第１の態様によれば、例えば巻き取りおよび展開が可能なスクリーン／壁／仕切り／パーティションなどの格納可能なパネル構造物を備えており、前記平坦な構造物は、互いに間隔を空けて位置する後面および前面を備え、前記前面は、互いに別個であり、かつ前記パネル構造物の巻き取りを可能にするために互いに離れるように移動するストリップのアレイで少なくとも部分的に形成され、前記後面は、前記ストリップを互いに接続し、かつ前記シートの巻き取り時に前記ストリップを互いに離れるように移動させることができるように曲がることができるヒンジを形成している、システムが提供される。
【００１２】
随意により、前記シートの展開時に、隣同士のストリップからなる各ペアのストリップが、互いに当接し、あるいは幅広い方のストリップの幅の２倍以下の間隔にて隔てられる。
【００１３】
随意により、前記シートの展開時に、隣同士のストリップは、互いに当接し、あるいは隣同士のストリップからなるペアのうちの幅広い方のストリップの幅以下の間隔にて隔てられる。
【００１４】
随意により、前記構造物は、前面シートおよび後面シートで形成され、セルまたは低密度材料が、前記前面シートと前記後面シートとを隔てる。
【００１５】
随意により、前記ストリップは、前記前面に折り目をつけ、前記前面を切断し、あるいは前記前面を起こすことによって形成される。
【００１６】
随意により、前記構造物は、０．１ｍｍ〜２５ｍｍ、例えば１ｍｍ〜１５ｍｍ、例えば３ｍｍ〜１０ｍｍの厚さを有する。
【００１７】
随意により、前記ストリップは各々、０．５ｍｍ〜１００ｍｍ、例えば１ｍｍ〜５０ｍｍ、例えば２ｍｍ〜５ｍｍまたは１０ｍｍ〜４０ｍｍなどの幅を有する。
【００１８】
随意により、隣同士のストリップからなる各ペアの間の間隔は、おおむね１００ｍｍ以下、例えば５０ｍｍ以下、例えば１０ｍｍ以下である。
【００１９】
随意により、本システムは、前記構造物を展開された状態に支持するように構成された支持体を含む。
【００２０】
随意により、前記支持体は、少なくとも１つのＳＴＥＭを備え、該ＳＴＥＭは、該ＳＴＥＭを非コイル状にすることによって軸線に沿って伸ばすことが可能、かつ該ＳＴＥＭをコイル状にすることによって前記同じ軸線に沿って再び格納することが可能であり、前記構造物は、前記少なくとも１つのＳＴＥＭがコイル状および非コイル状になるときに前記構造物の巻き取りおよび展開を生じさせるアタッチメントによって、前記少なくとも１つのＳＴＥＭ上に支持される。
【００２１】
随意により、前記少なくとも１つのＳＴＥＭは、前記構造物の前記後面に隣接して位置し、随意により前記後面に取り付けられる。
【００２２】
随意により、前記少なくとも１つのＳＴＥＭは、前記構造物の前記後面の一領域に隣接して位置し、前記後面は、前記領域に、前記ＳＴＥＭおよび前記構造物が一緒にコイル状にされるときに前記後面が前記領域において広がることができる一方で、前記ＳＴＥＭおよび前記構造物が一緒にコイル状にされるときに前記ストリップの曲がりを可能にする前記ヒンジが前記構造物の少なくとも１つの他の領域によって形成されるように、前記前面の前記ストリップの間の分離に整列したスリットを含む。
【００２３】
随意により、前記少なくとも１つのＳＴＥＭは、伸びたときに、凹側および凸側を有し、前記構造物は、例えば接着剤、溶接、縫い目、リベット、ハトメ、またはフックとループとによる接続部などの破ることができるアタッチメントによって、前記ＳＴＥＭの前記凸側の中央領域に取り付けられ、例えば前記ＳＴＥＭの中心軸または該中心軸に隣接する領域に取り付けられる。
【００２４】
随意により、前記支持体は、少なくとも２つのＳＴＥＭを備え、該少なくとも２つのＳＴＥＭは、互いに間隔を空けて位置し、平行な軸線に沿って伸縮可能であり、前記構造物は、該少なくとも２つのＳＴＥＭによって支持される。
【００２５】
随意により、前記ＳＴＥＭは、水平方向、または斜め上方または下方を含む上方または下方へと非コイル状にされ、あるいは内側または外側に湾曲させられるように構成される。
【００２６】
随意により、前記支持体は、前記少なくとも１つのＳＴＥＭを支持するハウジングと、前記ハウジング内の回転可能なスプールとを含み、前記構造物を、前記スプール上に巻き取ることができる。
【００２７】
随意により、前記スプールは、該スプール上に巻き付けられた前記構造物を支持するように構成された底板を含む。
【００２８】
随意により、本システムは、前記構造物の巻き取りを支援するように前記スプールに作用するばねを含む。
【００２９】
随意により、前記支持体は、前記少なくとも１つのＳＴＥＭのうちの前記ハウジングから遠い端部を支持するハンドルを含む。
【００３０】
随意により、前記前面は、前記ＳＴＥＭが位置する領域に凹所を含むことにより、前記ＳＴＥＭをコイル状にするときに前記後面が外側に引き伸ばされ、前記前面が内側に押し込まれる。
【００３１】
随意により、前記支持体は、少なくとも２つの柱を備え、該柱は、前記構造物に取り付けられ、前記ストリップに平行に延びることで、該柱を前記構造物と一緒に巻き取ることができる。
【００３２】
随意により、前記支持体は、前記柱に取り付けられた少なくとも１つのＳＴＥＭを含む。
【００３３】
随意により、本システムは、前記構造物を巻き取られた状態に保持するための少なくとも１つの留め具を含み、該留め具は、例えばフックとループ（Ｖｅｌｃｒｏ）、ホック、または磁気固定具であってよい。
【００３４】
随意により、本システムは、一時的または恒久的な屋内または屋外スクリーン、部屋の仕切り、引き下ろしドア（例えば、ガレージ扉）などのドア、窓の日よけ、カーテンまたはブラインド、遮音スクリーン、可搬パーティションスクリーン、システム全体が非鉄である場合のＭＲＩ走査室のスクリーンの形態であり、随意によりホワイトボード、黒板、映写面、ピンボードおよび／またはフックとループとによるボード、ポスター、鏡、太陽光アレイ、鏡面フィルム面、パラボラアンテナ、装飾パネル、光起電ソーラーアレイ、例えばＯＬＥＤ  ＴＶなどの可撓テレビまたはモニタ、またはＬＥＤライトとして機能することができ、あるいは例えば上述の機能を提供するために他の材料を取り付けることが可能である支持構造体として機能することができる。
【００３５】
本開示の第２の態様によれば、少なくとも１つのコイル状にすることができる割り管型伸縮部材（ＳＴＥＭ）を備えるＳＴＥＭシステムが提供され、前記少なくとも１つのコイル状にすることができるＳＴＥＭは、中心軸を有し、該ＳＴＥＭを非コイル状にすることによって軸線に沿って伸ばすことが可能、かつ該ＳＴＥＭをコイル状にすることによって前記同じ軸線に沿って再び格納することが可能であり、非コイル状にされるときに該ＳＴＥＭの先端を形成する端部を有し、伸ばされた／非コイル状にされたときに凹側および凸側を有し、ハンドルが、１つ以上の接続部によって前記少なくとも１つのＳＴＥＭの前記先端の前記凸側に取り付けられることで、格納時にコイル状になる前記ＳＴＥＭの前記先端の作用によって該ハンドルが該コイル状のＳＴＥＭの残りの部分に向かって付勢される。
【００３６】
随意により、前記ハンドルは、前記少なくとも１つのコイル状にすることができるＳＴＥＭが伸ばされたときに地面に係合することで、前記ＳＴＥＭの前記先端を支持する。
【００３７】
随意により、前記ハンドルは、少なくとも１つのキャスタまたは滑り足上に支持される。
【００３８】
随意により、前記ハンドルを前記少なくとも１つのＳＴＥＭの前記先端の前記凸側に取り付ける接続部が、前記ＳＴＥＭの前記中心軸上に位置し、または前記ＳＴＥＭの前記中心軸に隣接して位置する。
【００３９】
随意により、前記少なくとも１つのコイル状にすることができるＳＴＥＭの前記先端は、前記ハンドルに対して平たくクランプされる。
【００４０】
随意により、前記ＳＴＥＭは、伸ばされたときに、５０ｍｍ〜１００ｍｍ、好ましくは６５〜８５ｍｍ、より好ましくは約７５ｍｍの幅を有し、１００〜１８０度の間、好ましくは約１３０度の円弧を定める。
【００４１】
随意により、本システムは、前記少なくとも１つのコイル状にすることができるＳＴＥＭのコイル状にされた部分を保持するためのハウジングを含む。
【００４２】
随意により、前記ハウジングは、地面に係合し、随意により少なくとも１つのキャスタまたは滑り足を含む。
【００４３】
随意により、本システムは、前記少なくとも１つのＳＴＥＭに取り付けられたスクリーンを含み、該スクリーンは、前記少なくとも１つのＳＴＥＭおよび該スクリーンを一緒にコイル状および非コイル状にすることを可能にするアタッチメントによって前記少なくとも１つのＳＴＥＭに取り付けられる。
【００４４】
随意により、本システムは、少なくとも２つのＳＴＥＭを備え、該少なくとも２つのＳＴＥＭは、互いに間隔を空けて位置し、平行な軸線に沿って伸縮可能であり、前記スクリーンは、向かい合う辺に沿って前記少なくとも２つのＳＴＥＭによって支持される。
【００４５】
随意により、前記ハンドル、前記少なくとも２つのＳＴＥＭ、および前記ハウジングが、前記スクリーンを支持する矩形のフレームを形成する。
【００４６】
随意により、前記少なくとも１つのＳＴＥＭは、スプールに取り付けられる。
【００４７】
随意により、前記スプールは、前記スクリーンの格納を支援するように構成されたばねによって付勢される。
【００４８】
随意により、前記少なくとも１つのＳＴＥＭの前記先端は、例えば接着剤または機械的な固定によって、例えば縫合、溶接、接着剤、リベット、またはハトメにより、随意によりボルトとの組み合わせにおいて、ただ１つの地点において前記ハンドルに直接取り付けられる。
【００４９】
随意により、前記少なくとも１つのＳＴＥＭの前記先端は、湾曲した形状または斜めの／面取りされた形状（すなわち、ＳＴＥＭの端部がＳＴＥＭの中心軸に直交しない）である。
【００５０】
随意により、本システムは、前記少なくとも１つのＳＴＥＭをクランプするクランプを含み、該クランプは、前記少なくとも１つのＳＴＥＭを該ＳＴＥＭの長さの途中でクランプし、該クランプの領域において該ＳＴＥＭのねじれを引き起こす該クランプの領域における該ＳＴＥＭの前記凹側および凸側の形成を防止する。
【００５１】
随意により、本システムは、一時的または恒久的な屋内または屋外スクリーン、部屋の仕切り、展示スクリーン、レーザまたはＸ線または溶接のための安全スクリーン、引き下ろしドア（例えば、ガレージ扉）などのドア、窓の日よけ、カーテンまたはブラインド、遮音スクリーン、可搬パーティションスクリーン、システム全体が非鉄である場合のＭＲＩ走査室のスクリーンの形態であり、随意によりホワイトボード、黒板、映写面、ピンボードおよび／またはフックとループとによるボード、ポスター、鏡、太陽光アレイ、鏡面フィルム面、パラボラアンテナ、装飾パネル、光起電ソーラーアレイ、例えばＯＬＥＤ  ＴＶなどの可撓テレビまたはモニタ、またはＬＥＤライトとして機能することができ、あるいは例えば上述の機能を提供するために他の材料を取り付けることが可能である支持構造体として機能することができる。
【００５２】
随意により、前記少なくとも１つのＳＴＥＭは、水平方向、または斜め上方または下方を含む上方または下方へと非コイル状にされ、あるいは内側または後方に湾曲させられるように構成される。
【００５３】
１つ以上の態様からの特徴またはその任意の随意による特徴を、互いに組み合わせることが可能である。
【００５４】
本開示は、さまざまなやり方で実施可能であり、本開示の実施形態が、以下で添付の図面を参照して例として説明される。
【図面の簡単な説明】
【００５５】
【図１】基本的な割り管型伸縮部材を示している。
【図２】割り管型伸縮部材の等角投影図を示している。
【図３】１８０度超の円弧を持つ割り管と１８０度未満の円弧を持つ割り管との変態の違いを示している。
【図４】２本の管といくつかのポールとからなる基本的なフレームを示している。
【図５】穴の設計が異なる薄型端部の種々の設計を示している。
【図６】さまざまな設計のスラット、すなわち湾曲した矩形、矩形、および円形のスラットについて、巻き取られたＳＴＥＭへの影響を示している。
【図７】スティックの管への取り付けを変えることで、角度の付いたプロファイルを生み出すことができる方法を示している（２次元の図および等角投影図）。
【図８】管および平坦なスティックにおける穴の位置を説明している。
【図９】管および平坦なスティックにおける穴の位置を説明している。
【図１０】ＳＴＥＭの縁に位置するボタンループを示している。
【図１１】堅固な裏打ち材料について考えられる種々の形状を示している。
【図１２】前面のスラットの幅、間隔、および高さの間の関係を示している。
【図１３】スクリーンまたはハンドルを省いた間仕切りスクリーンの空の本体ケーシングを示している。
【図１４】ケーシングおよびキャスタを備える閉じた状態の間仕切りスクリーンを示している。
【図１５】開いて曲げられた状態のケーシングおよびキャスタを備える間仕切りスクリーンを示している。
【図１６】ＳＴＥＭの凸側の中央領域への取り付けの位置を示している。
【図１７】完全スリット剛体ボードで作られた場合の構造物を示している。
【図１８Ａ】ＳＴＥＭを構造物に取り付ける方法を示している。
【図１８Ｂ】ＳＴＥＭを構造物に取り付ける方法を示している。
【図１８Ｃ】ＳＴＥＭを構造物に取り付ける方法を示している。
【図１９】中心線に沿って固定された独立したスラットから作られた構造物を示している。
【図２０】ＳＴＥＭがスリットボード材料に直接取り付けられるのではなく、支持体に取り付けられるフレームシステムを示している。
【図２１Ａ】巻き取り可能なスリット剛体ボードを作成する方法を示している。
【図２１Ｂ】構造物の巻き取り時に後面のＳＴＥＭがどのようにスリットを膨らませて開くのかを示している。
【図２２】後面のＳＴＥＭの望ましい向きを示している。
【図２３】外側部分が切り取られ、ヒンジとなる柔軟な内側コアが露出している異なる剛体ボード構造を示している。
【図２４Ａ】ＳＴＥＭが真っ直ぐになるのを防ぎ、支持ベース機能を追加することによって、構造物をより安定させることができるやり方を示している。
【図２４Ｂ】ＳＴＥＭが真っ直ぐになるのを防ぎ、支持ベース機能を追加することによって、構造物をより安定させることができるやり方を示している。
【図２４Ｃ】ＳＴＥＭが真っ直ぐになるのを防ぎ、支持ベース機能を追加することによって、構造物をより安定させることができるやり方を示している。
【図２５Ａ】ＳＴＥＭの中心線に沿ってＳＴＥＭの先端の凸側に取り付けられたハンドルを示している。
【図２５Ｂ】ＳＴＥＭの中心線に沿ってＳＴＥＭの先端の凸側に取り付けられたハンドルを示している。
【図２６】ＳＴＥＭの先端のさまざまなプロファイルを示している。
【図２７】システムの円筒形の構造の制御を助けるためにフックとループなどの留め具をどのように使用できるのかを示している。
【図２８Ａ】ＳＴＥＭを前面の切り欠き部分に取り付けて備えるシステムについて、真っ直ぐなときの状態を示している。
【図２８Ｂ】ＳＴＥＭを前面の切り欠き部分に取り付けて備えるシステムについて、巻き取られたときの状態を示している。
【図２９】ケーシングのない壁に固定された格納式スクリーンのハンドルおよびハンドルベースを示している。
【図３０Ａ】ハンドルが開いていて、ＳＴＥＭが真っ直ぐであるときのハンドルを示している。
【図３０Ｂ】スクリーンが閉じられ、ＳＴＥＭが湾曲し、ハンドルが本体の近くに保持されているときのハンドルを示している。
【図３１】ハンドルが取り付けられている別の典型的なシステムを示している。
【図３２Ａ】ハンドルが取り付けられている典型的なシステムを正面図として示している。
【図３２Ｂ】ハンドルが取り付けられている典型的なシステムを後面図として示している。
【図３３Ａ】両方のスクリーンが広げられたときのハンドルが取り付けられているシステムを示している。
【図３３Ｂ】両方のスクリーンが広げられた状態のシステムを示している。
【図３４】ＳＴＥＭの湾曲、およびＳＴＥＭの湾曲によって内側スクリーンから切り取られるべき複雑なスプライン形状がどのように生じるのかを示している。
【図３５】ＳＴＥＭを平らに保持するクランプが、どのように内側スクリーンをフィットさせるべき複雑な形状を生じさせるのかを示している。
【図３６Ａ】軸線を中心にして対称に配置されたＳＴＥＭのハンドルへの種々の考えられる固定位置を示している。
【図３６Ｂ】直線状の前縁および面取りされた前縁を有するＳＴＥＭに取り付けられたハンドルを開いた状態および閉じた状態の両方にて示している。
【図３７】部分スリット剛体ボードの前面および後面を示している。
【発明を実施するための形態】
【００５６】
一例において、スクリーンから延びるＳＴＥＭ３は、垂直ハンドル３８に取り付けられる。固定は、理想的には、ＳＴＥＭ３を自由にクリック開閉（図２５Ａおよび図２５Ｂならびに図３６Ｂ）できるように、ＳＴＥＭ３の外側／凸側において、中心線４を通る単一の留め具により、あるいは中心線４の周囲に分散される（図３６Ａ）。したがって、システムのハンドル３８は、単純な小さなアルミニウムの押し出し材またはロッドになってよく、外面に各々のＳＴＥＭ３を固定するために１つの留め具が使用された（図３０Ａおよび図３０Ｂ）。あるいは、ハンドル３８は、押し出しによるケーシングであってよいが、この単純な手段によってＳＴＥＭ３に接続されて、図３５に示される設備と同様に見える設備を生じ、しかしながら、図３５では、ＳＴＥＭ３の縁は常に水平であり、内側スクリーン１０のための部分は単純な矩形であった。単純なハンドル３８を、ベース板５に取り付けることができ、したがって、きわめてほっそりした最小設計の設備が生み出されると考えられる（図２９）。これを金属の露出を最小限にした同様に単純な本体８に組み込むことが、図２９に示されている。スクリーンシステムは、２つの異なるシステムを備えることができ、２つの異なるシステムは、中央をヒンジとすることができる２つ折りのスクリーンを生じるように、一方のシステムの前部ハンドル３８（図３２に示されるとおり）または本体８（図３３に示されるとおり）のいずれかにおいて取り付けられる。２つのスクリーンの間の角度を変えることができる３ｍｘ３ｍのコーナーを生み出すことができる（図３３Ｂ）。
【００５７】
ＳＴＥＭ３の自由端５５のプロファイルを変更することにより（図２６）、クリック閉じの力を変更することができる。湾曲したカットは、より美的に心地よく、鋭いエッジを防止し、ＳＴＥＭ３の端部の開閉力を和らげる可能性もある。この自由端５５は、露出され、形状を変えて開閉をクリックする。したがって、Ｃ字管３のこの部分を、ＰｌａｓｔｉＤｉｐ（商標）などのゴム引き被膜でコーティングして、すり切れからの保護をもたらすとともに、必要とされる複雑な形状変化を被る能力を妨げることなく、露出した前縁５５に改善された美観を与えることが望ましいかもしれない。
【００５８】
この新規なクランプ方法は、設備のスクリーン要素を据えるための矩形のフレームを有することを可能にし、したがって図３５に示されるようにスクリーン１０を製作するために使用される非弾性材料から複雑な形状の「スプライン」９を切り取る必要性を排除する。これは、欧州特許出願公開第３２５１５６２号「Ｒｅｔｒａｃｔａｂｌｅ  ｓｃｒｅｅｎ」において特定された問題のうちの１つを克服する。図３４は、ＳＴＥＭ３のエッジの形状の変化、および望ましくない力を伴わずにＳＴＥＭ３のエッジを据えるためにスプライン９をスクリーン材料１０にどのように切り込まなければならないかを示している。これらの望ましくない力は、多くの場合に、ＳＴＥＭ３の格納時にＳＴＥＭ３の下方に作成されたスプライン９の形状が変化するため、依然として存在する。図３５は、このスプライン９の形状がスクリーン１０に及ぼす影響を示している。
【００５９】
図２１Ａは、剛体ボード４１を、巻き取りを可能にするために前面４８においてどのように部分的に切断できるのかを示している。これは、ナイフによる全長の部分的な切断４２、４３によって生成でき、あるいは全長にわたって材料を部分的に貫通する溝４２、４３を掘ることによって生成することができる。溝掘りのプロファイルについて考えられる種々の形状が、図１１および図１２において論じられる。ボード４１があまり堅固でない材料（例えば、フェルトボード）から作られる場合、例えばハニカムポリプロピレン構造などの軽くて堅固な裏打ち構造へと取り付けることによって補強することが可能である。あるいは、より堅固な支持体への取り付けによって支持してもよい。これらの支持体を、ボード材料４１をＳＴＥＭ３に取り付ける必要がないように、ＳＴＥＭ３およびボード材料４１にも取り付けることができる（図２０）。
【００６０】
図２０は、ＳＴＥＭ３を、どのように少数のより丈夫なスラットまたはロッド４０に取り付けて、他のあまり丈夫でないスラット４０をはめ込むことができるフレームを生み出すことができるのかを示している。これの利点は、ＳＴＥＭ３を支持するスラット４０を、構造的支持の大部分を提供し、場合によってはキャスタ１１に取り付けられるため、はるかに丈夫になり得ることである。フレームの内側の構造は、視覚的なバリアを提供するだけであるため、はるかに実質的でなくてよい。この構造を、図１７、図４３Ａ、および図４３Ｂに示されるように、スリットボード構造４１を収容するために使用することができる。支持体４０を、ベネチアンブラインドなどの木材、あるいはローラー・シャッター・パネルなどのアルミニウムまたはＰＶＣ押し出し材で製作することができる。この方法は、種々の巻き取り可能なインナーを挿入できるフレームを生み出す。スリットボード設計におけるこれの利点は、ボード４１がＳＴＥＭ３の周りに丸められるときに外側に引き伸ばされることが決してなく、むしろ同じ平面の周りに丸められ、ＳＴＥＭ３が材料の両側に巻き取られるため、深さ全体の切断４３がもはや不要であることである。
【００６１】
図２２は、巻き取り時にスリット４２、４３が伸びて膨らんで開くことを可能にする後面４７上のＳＴＥＭ３の所望の向きを示している。ＳＴＥＭ３を後面４７に固定するとき、後面４７は、ＳＴＥＭ３の周りに丸めることができるように、依然として少し伸びなければならないであろう。ＳＴＥＭ３が前面４８に取り付けられるならば、パネル４１の厚さおよびＳＴＥＭ３の厚さによって曲率半径が大きくなるため、後面４７はもっと大きく伸びなければならないと考えられる。したがって、通常は、ＳＴＥＭ３を後面４７に固定し、後面４７がＳＴＥＭ３の周りに丸められるときに最小限の量だけ伸びことができるようにする必要がある。部分スリット４２、４３の一部またはすべては、圧縮されたときにちょうちんの動作の様相と同様に後面４７の拡大４４が可能であるようにパネル４１を貫く完全な切断４２、４３になる必要がある（図２１Ｂ）。完全な切断４２、４３は、理想的には、少なくとも平たくなった状態のＳＴＥＭ３の幅であり、ボード４１の全幅まで延びることができる。これらの完全な切断４３がより長く、互いにより近くに位置していると、少ない力で膨らませることができるため、より容易に丸めることができる。完全な切断４２、４３が短く、あるいは存在しない場合、スリットボード４１は巻き取りにくく、機会があればばねのように広がって平たくなるような力がシステム内に存在すると考えられる。この特徴は、例えば緊急プライバシースクリーンとして使用される場合など、構造物を素早く展開する必要がある場合に望ましい。このような場合、コイルをフックとループによるＶｅｌｃｒｏ５６、５７などの留め具で一体に保持することができ、留め具を取り外すことで、構造物の前縁を手動で広げ、自動のさらなる完全な構造物の展張／展開を開始させることができる。ＳＴＥＭ３を前面４８に取り付けることが、例えばホワイトボードまたは印刷によるディスプレイを取り付けることができる大きくて平坦な妨げのない後面４７をもたらすがゆえに、望まれる可能性もある。そのような場合、前面４８に溝を掘り、ＳＴＥＭ３を据え（図２８Ａ）、後面４７の裏側へと固定することで、後面４７をＳＴＥＭ３の周りに丸める（図２８Ｂ）ために必要な後面４７の膨らみの量を減らすことができるチャネル６０を生成することができる。ＳＴＥＭ３を取り付けるためのチャネル６０を設ける他の利点は、ＳＴＥＭ３の厚さがチャネル６０の内部に隠されるため、シリンダ１のロールの直径が最小に保たれることである（図２８Ｂ）。
【００６２】
パネルボード４１は、理想的には、厚いときには堅固であるが、薄いときには柔軟な材料から作られる。そのようにするとき、部分的切断４２、４３によってリビングヒンジを作ることができる。好ましくは、ボード４１の外面４７、４８は、内側コア４９よりも高密度で丈夫な材料から作られる。これにより、構造物の断面二次モーメントが増加し、所与の重量において剛性がより高くなり、破損の可能性が低いヒンジを生み出すうえでも助けになる。例えば、プラスチックでコーティングされた発泡ボード、半剛体で外面が処理またはラミネートされたＰＥＴフェルトボード、あるいはひとたび切断されると巻き取り可能であるベニヤ板、ハニカム構造のボール紙、など。使用するのに望ましい材料の１つは、吸音性、審美的、印刷可能、ラミネートが容易、ならびに機械加工および切断が容易という利点も有するＰＥＴフェルトボードである。ＡｕｔｅｘのＣｕｂｅ（商標）、Ｓｙｍｐｈｏｎｙ（商標）、およびＣｏｍｐｏｓｉｔｉｏｎ（商標）、あるいはＴｅｃｈ  Ｍａｔｅｒｉａｌｓの耐火性ＰＥＴ印刷可能音響パネルであるＰｏｌｙＳｏｒｂｅｒなど、多数のこのような材料が存在する。これらの音響パネルシートは、切断４２、４３および溝掘り６０が容易に可能である自立型のボードである。これらの材料をラミネートして、巻き取りに有利な層を生成することができ、掘られた溝に堅固な支持体を追加および隠蔽し、理想的なボード構造を生み出すことができる。別の望ましい材料は、ＰＶＣ剛体または積層ボードである。切断されていない後面４７／スキンが、前面４８／スキンおよびコアが切断４２、４３され、あるいは溝加工６０されている場合に、ヒンジとして機能する。これに役立つ材料の１つが、Ｓｅａｌｗｉｓｅ（商標）である。Ｓｅａｌｗｉｓｅは、独立気泡ＰＶＣＵで作られた発泡コアと、中実なＰＶＣ材料からなる表面とを備えた均質な材料である。シールワイズは、無毒であり、ホルムアルデヒドを含まず、非多孔性であり、パネル製品と同じ方法を使用して使用および加工できるが、ブレードも長持ちする。しかしながら、ＭＤＦと同様の特性、同等の密度および重量を有するため、同じ技術を使用して加工することができる。ＭＤＦと同一に機械加工、切断、ＣＮＣ加工、溝掘り、プロファイリング、およびエッジングを行うことができる。１００％防水であるため、衛生的であり、内外の過酷な環境に適している。段ボール、ＣＯＲＲＥＸ（商標）という「溝付きポリプロピレン」、および一部の木製ラミネートなど、一部の材料は本質的に「溝付き」である。これらは、前面４８（スキンの上側層）を貫くが、後面４７（スキンの下側層）は貫かないように、組織に沿った部分的切断４２、４３をもたらす役に立つ。これにより、材料は、後面４７を中心に容易に自然にヒンジとなる。良好に機能する他の材料は、後面４７がヒンジをもたらし、コアおよび最上層４８が構造物をもたらすハニカムコアのボール紙およびポリプロピレン構造物である。あるいは、一般にＤｉｂｏｎｄ（登録商標）として知られるプラスチックコアのアルミニウム面シートに類似した材料が存在するが、Ｄｉｂｏｎｄが剛体コアを有する場合、これらの材料は柔軟な内部コア４９を有する（図２３を参���）。この柔軟なコア４９の両側のアルミニウムを取り除くことにより、本来であれば堅固な材料にヒンジを生成することができる。図２３は、外面４７、４８が堅固であり、内面４９が柔軟である別の構成である。この特許において説明されるやり方と同様のやり方で内側の柔軟なコア４９にスリットを設けることにより、ヒンジ式の柔軟なＤｉｂｏｎｄ材料を、ＳＴＥＭ３の周りに妨げられることなく巻き取られて膨らむようにすることができる。
【００６３】
上述の方法で切断４２、４３、および溝加工６０され、この特許において説明されるように支持ロッド２３および安定なベース５と組み合わせられると、さまざまな興味深い有用な巻き取り構造物を、支持にＳＴＥＭ３を必要とせずに生成することができる。伸びた状態２のＳＴＥＭ３の機能を置き換えるために、長さに沿って固定される剛体部材または伸縮部材など、展開時の構造物を補強する他の方法を使用することができる。しかしながら、構造物自体が本質的に充分に堅固である場合、これは必要でないかもしれない。ＳＴＥＭ３は（肘のように）一方向のねじれ１４しか生じないため、ＳＴＥＭ３の不使用の利点は、コスト削減の他に、展開時の構造物を「Ｓ」字形に曲げることができることである。コイル状に巻かれた状態１のＳＴＥＭ３の機能を置き換えるために、ロール状の構造物の内面および外面の間の磁石またはフックとループとによる留め具５６、５７など、シリンダ８、３８を閉じたままに固定する他の方法を使用することができる。したがって、同じ原理を使用するが、ＳＴＥＭ３を有さないこの特許において説明される構造物が可能である。
【００６４】
スラット４０による構造物（図１９）またはスリットボード４１による構造物（図１７／図２１）のいずれも、後面４７へと取り付けられる巻き取り可能材料１０のための補強支持フレームワークを生み出すことができる。一例は、ひとたび後面４７に貼り付けられたならば巻き取り可能なホワイトボードを生み出す柔軟な乾拭き式の書き込み可能表面である。あるいは、ディスプレイを後面４７に固定して、展示会または広告用の巻き取り式ディスプレイを生み出すことができる。前面４８は、伸縮性のある布地に直接印刷またはコーティングされることができ、構造物を、柔軟な部屋のパーティションとして使用することができる。柔軟なソーラーパネルを後面に固定して、例えば悪天候時に格納できる展開可能な太陽電池を生成することができる。他の技術的応用は、ＯＬＥＤフレキシブルＴＶおよび展開可能アンテナである。この構造物を、Ｃｏｎｃｒｅｔｅ  Ｃａｎｖａｓ（商標）などのコンクリート布地を支えるために使用し、水を噴き付けてコンクリート壁を作成することができる。複数の構造物を、例えばジッパー／Ｖｅｌｃｒｏ（商標）／ホックなどを使用して互いに取り付けて、避難生活者にプライバシーを与えるために大きな開放パンルームを規則正しく構成し直すことが多くの場合に必要とされる緊急避難所において使用するための展開可能な構造物を生み出すことができる。
【００６５】
図２４Ａ、図２４Ｂ、および図２４Ｃが、ＳＴＥＭ３がその全長にわたって完全に直線５１（図２４Ａ）になることで構造物が１つの平面上に位置して不安定かつ転倒しやすくなることを防止することにより、この特許において言及されるＳＴＥＭ構造物のいずれかをどのようにしてより安定にできるかを示している。ＳＴＥＭ３がその中心線４に沿って構造物に固定５４される場合、巻き取り１および展開２は自由である。しかしながら、ＳＴＥＭ３がその中心線４から外れた位置で、理想的には一方が中心線４の充分に上方に位置し、一方が充分に下方に位置する２つの留め具４６によって、ＳＴＥＭ３のエッジの付近で構造物に固定４６される場合、真っ直ぐな／伸びた状態２への変形が不可能であり、コイル状の状態１に留まることを余儀なくされる（図２４）。これが両端において行われる場合、構造物は、いくらかの追加の安定性をもたらすように両端において湾曲した特徴を有すると考えられる（図２４Ｃ）。構造物の中央において行われる場合、その地点にねじれ１４（図２４Ｃ）が形成され、さらに高い安定性をもたらす（図２４Ｃ）。キャスタ１１および／またはベース５を支持体８、３８に追加することにより、単純な安定した構造物を生み出すことができる（図２４Ｂ）。ＳＴＥＭ構造物の安定性の向上に役立つもう１つのやり方は、ＳＴＥＭ３を、格納２されたときに真っ直ぐではなく、曲がった状態にすることである。ＳＴＥＭ３のレシピを変更することにより、後方または内側に曲がるようにすることが可能である。ＳＴＥＭ３が内側または外側に湾曲するこのバナナ形状は、より安定な構造を生み出すが、湾曲した壁が多くの場合に使用される展示会の背景／ブースなどに関して、より美的に好ましいスクリーンも生み出すと考えられる。
【００６６】
一実施形態において、溝付きポリプロピレン、ＣＯＲＲＥＸ（商標）、またはＳｅａｌｗｉｓｅ（商標）などの防水ボード材料４１のシートは、１〜１０ｃｍごとに外側の面にスリットが部分的に設けられる。これらのスリット４２、４３は、ＳＴＥＭが取り付けられる場所の背後においてのみ後面まで完全に貫通する。これらの完全な切断４２、４３は、最小でＳＴＥＭ３の幅（現在のところ１５０ｍｍ）、最大で溝の全長（例えば、ボードの高さ）であってよいが、構造物が個別のスラットに完全に分離することがないように、上部および下部に完全には切断されていない領域である部分を残す。このための理想的なＣＯＲＲＥＸ（商標）材料は、約５ｍｍ〜１０ｍｍの厚さであり、理想的なＳｅａｌｗｉｓｅ（商標）ボードは、３ｍｍ〜６ｍｍの厚さである。ＳＴＥＭ３は、中心線４に沿って縫合４５され、あるいは５〜５０ｃｍごとに機械的な留め具またはリベットによって構造物に取り付けられる。構造物は、１ｍ〜３ｍの高さおよび２ｍ〜５ｍの幅である。幅に沿って延びる２つのＳＴＥＭ３が使用される。端から２００ｍｍ〜５００ｍｍに位置する。最終的な構造物は、軽量で耐候性のある展開可能な壁であり、印刷されると例えば屋外展示用の広告バナーとして使用でき、あるいは、例えば緊急サービス用の緊急プライバシースクリーンとして使用することができる。ＳＴＥＭ３はポリプロピレン製であり、したがって、この構造物は、プラスチック製であってよい留め具を除いて完全にリサイクル可能である。製造時にＣＯＲＲＥＸ（商標）にポリプロピレンフェルト層を適用して、コスト効率の高いやり方でソフト仕上げされた一変種の設備を生み出すことができる。構造物、およびＳＴＥＭ３も、美的で音響的に機能するファブリックで両面を覆い、オフィスや個人の作業エリアなどにおける柔らかな造りの吸音性のある部屋パーティションを生み出すことができる。磁気または乾拭きおよび／あるいは映写面を取り入れることによって、さらなる機能を追加することができる。構造物は軽量かつ堅固であるため、持ち上げてキャスタ１１に取り付け、持ち運びをより容易にすることができる。複数のこれらのシステムを、図２７において要素５６、５７によって示されるように前縁に沿って磁石、ジッパー、またはＶｅｌｃｒｏによって互いに取り付けて、連続的な壁を生み出すことができる。キャスタ１１を、最小限の数の場所において構造物に取り付けて、構造物のスパンを支持することを必要とせずに安定性を可能にすることができ、なぜならば、そのような能力は自立型の構造物の設計にすでに備わっているからである。理想的には、ホイール１１は、図２４Ｃに記載されるように、左端および右端の湾曲の両端の下方に位置し、さらなる１つまたは２つが、後方への転倒を防止するために本体８に沿って中心からずらされて位置する（図２４Ｂ）。キャスタ１１が存在しない場合、構造物は、どちらの向き（逆さま）でも使用することができるという利点を有する。
【００６７】
上述の構造物のいずれかの別の実施形態は、垂直／ドロップダウン方向（例えば、ガレージ扉）、またはプルアップ方向（垂直壁またはＯＬＥＤテレビ）、あるいは水平引き出し方向（窓の日よけ／展開可能な音響屋根）であってよい。ドロップダウン方向のスクリーンを使用して、天井に取り付けられ、あるいは床から立ち上がる超ワイドカーテン、ディスプレイ、遮音スクリーンを生み出すことができる。日よけ構造物は、（標準的な超幅広の日よけの場合のような）きつく張られた生地ではなく、本質的に堅固な構造になるため、下部構造をあまり必要とせず、天候による劣化の可能性が少ない自立型ブラインドを生み出すことができる。
【００６８】
構造物を、スプール３５への巻き取り時にシステムを支援するように構成されたばねコアおよび回転底板３５（図１３）を追加することによってさらに改善することができ、これは摩擦を低減し、巻き取りを助けると考えられる（図１３）。これは、ユーザが手動で構造物の展開および巻き取りを行う必要がなく、代わりに、ハンドル３８を押し引きして構造物を解放できることを意味する。ハンドル３８は、スプール３５を内部に有する部分であってよく、あるいは自由端であってよい。回転コア３８を、機械的または電気的ばねで補助することができる。
【００６９】
構造物を両端から巻き取り、中央で出会う２つの円筒形のロールを生じさせることが望まれるかもしれない。これは、１つの円筒では外径がＳＴＥＭ３にとって大きすぎるという理由、または使用において扱いにくいという理由からであるかもしれない。２つの円筒が同じ面に沿って出会う（図２４Ｂに示されるようなＣ字形を与える）構造物を生成することができる。しかしながら、ＳＴＥＭ３を切断して回転させると、円筒が背中合わせに接する構造物を生み出すことができ、両端部が反対方向に湾曲するがゆえにより安定になるＳ字形の構造物が得られる。これは、Ｓ字の上部が下部に対して異なる方向に曲がるため、構造物が両方の方向にねじれる可能性があることも意味する。上述のどの向きにおいても、構造物を、自由端を互いに取り付けることができるように設計することができ、したがって、例えば大きな開放プランの空間をさまざまな柔軟に設計されたゾーン領域へと再構成するために、たくさんの形状を生成することができる接続された構造を生み出すことができる。
【００７０】
一実施形態は、巻き取り式の間仕切りを生成するために切断される音響フェルトボードであり、ホワイトボード、映写面、ピンボード、および／またはフックとループとによるボードという追加の機能を有する。あるいは、同じ設計の考え方から、より低コストかつ耐候性のＣｏｒｒｅｘ（商標）溝付きポリプロピレンまたは溝付きＳｅａｌｗｉｓｅ（商標）ボードを使用する他の剛体材料が、屋外の耐候性パーティション構造を作成するために同様に切断される。
【００７１】
ボード材料４１の完全な切断４３が材料の全長にわたって延びるならば、独立したスラット４０が生成されると考えられる（図１７）。同様の構造物は、これらのスラット４０が互いに隣接せず、間隔を空けて配置されている構造物であってよい（図１９）。図１９に示されるスラット４０は、理想的には、例えばベネチアンブラインドにおいて見られる木製スラットなど、軽量で隆起しており、かつ薄い。スラット４０の裏側に構造物を追加するために、それらをポリエステルフィルムあるいは接着ビニールまたはフェルトなどのフィルム材料に取り付けることができる。これにより、巻き取りマットが生成される。ＳＴＥＭ３（または、他の支持材料）を、この構造物に、例えばＳＴＥＭ３を貫くスラット４０および／または裏打ちフィルムへの中心線４に沿った縫合によって、連続的に追加することができ、あるいはＳＴＥＭ３を、構造物に、ＳＴＥＭ３に沿って間隔を空けつつ配置され、一部または全部のスラット４０につながるリベットまたはハトメなどによって、非連続的に取り付けることができる（図１８）。これらのさまざまな取り付け方法は、剛体ボード４１の方法にも有効である（図１７）。ハトメなどの非連続的な方法は、きわめて少数の固定具しか必要としないかもしれないが、理想的には、１メートルごとに少なくとも１つの留め具が必要である。構造物は、ＳＴＥＭ３の自由な巻き取りが可能でなければならないため、スラット４０、フィルム、およびＳＴＥＭ３の向きが重要である。
【００７２】
図４が、２つの管３と複数のポール２２とからなる基本的なフレームを示している。この実施形態において、２つ以上の管３を互いに接続して、上述のような利点を達成することができる。ポール２２は、弾性的な中央部分２４と、割り管３と相互作用する各々の端部のより薄い平坦な部分（スティック２３）とを備える。スティック２３を、管３の開放面を超えて延ばすことができ、あるいは内面の１つに対して当接するように配置することができる。例えば、はしご型構造を、２つの管３を延ばし、次いでそれらに垂直に剛体要素２２を取り付けることによって、構築することができる。
【００７３】
図５が、穴の設計が異なる薄型端部２３の種々の設計を示している。剛体ポール２４を管３に直接取り付けることができ、あるいは管３のＯＤへの影響の低減に役立つように、管３をその表面へと平たくすることができるように充分に広いフラットスティック２３と呼ばれる薄型部分を、ポール２４に接続することができる。ポール２４とフラットスティック２３とを接続するさまざまな方法が存在し、いくつかの例が図５に示されている。フラットスティック２３は、任意の薄型形状であってよいが、一般に断面が矩形である平らな面、好ましくは巻き取られた管２の円弧に一致するように湾曲した矩形断面が、スティック２３の幅は厚さと比べてＯＤへの影響がはるかに小さいため、連携に最も好ましい形状である。図６を参照されたい。
【００７４】
フラットスティック２３を、いくつかのやり方で管３に取り付けることができる。好ましい方法は、直径の小さい非弾性ストリングまたはワイヤ２１（図７、図８、および図９）（釣り糸など）による。このストリング２１は、スティック２３および管３の外側に単に巻き付いて、両者を互いに固定することができる。しかしながら、この組み立てが簡単な方法は、ポール２４の線に沿った支持が限定される（すなわち、ポールが滑り出る可能性がある）。取り付けのためにワイヤ２１を通すための４つの穴を各々の要素に有することにより、ポール２４の管３に対する横方向、横断方向、および回転方向の移動が防止され、したがって最も安全な取り付けが提供される。
【００７５】
スティック２３に対する管３の保持のきつさを、管３およびスティック２３におけるワイヤ２１を通すための穴の配置によって制御することができ、これにより、事前に指定されたねじれの形状を作り出すことができる。
【００７６】
図８および図９は、管３およびフラットスティック（２３）における穴の配置の背後にある仕組みを示している。
【００７７】
図８は、管が平らな状態（巻き取られた状態）１であるときに緩い固定をもたらし、管が湾曲した状態（伸びた状態）２であるときにきつい固定をもたらすように、穴をどのように配置できるかを示している。
【００７８】
図９は、管が平らな状態（巻き取られた状態）１であるときにきつい固定をもたらし、管が湾曲した状態（伸びた状態）２であるときに緩い固定をもたらすように、穴をどのように配置できるかを示している。
【００７９】
スティック２３および／または管３における穴の位置を変更することによって、この効果を調整して、個々の用途に合った所望の効果を達成するための両者の混合を生み出すことができる。
【００８０】
他の取り付けの形態として、割り管３の一端をスティック２３に接着または機械的に固定すること、スティック２３および管３の周りにファブリックを巻き付けること、スティック２３を挿入できるヒンジ付きハトメ２５を備えたフラップを管３のエッジに取り付けることが挙げられ、これらのヒンジ付きハトメ２５は、単にドレスの背中に固定されているボタンによく似た糸のループであってよい。割り管３のエッジのボタンループ２５を示している図１０を参照されたい。
【符号の説明】
【００８１】
１  巻き取られた状態の管
２  伸びた状態の管
３  割り管型ＳＴＥＭ
４  割り管の中心線
５  ベースプレート
８  本体
９  内側パネルのスプライン切り欠き
１０  内側パネル
１１  キャスタホイール
１４  割り管のねじれ
２０  ポール
２１  非弾性ストリングまたはワイヤ
２２  ポール
２３  スティック
２４  弾性的な中央部分
２５  ボタンループ
３５  スラスト支承回転ディスク
３６  巻き取られた素材スクリーンを保持する本体のケーシング
３７  滑らかな保護面
３８  システムの前部ハンドル
４０  堅固なスラット
４１  中実ボード材料
４２  部分的なスリット切断部
４３  貫通スリット切断部
４４  膨らむスリット効果
４５  ＳＴＥＭの中心線に沿った縫合糸
４６  固定具のための穴
４７  後面
４８  前面
４９  柔軟な内側コア
５１  平坦な材料
５２  巻き取られた材料
５３  フット延長部
５４  ＳＴＥＭの中心線上の固定具用の穴
５５  ＳＴＥＭの前縁
５６  Ｖｅｌｃｒｏフック
５７  Ｖｅｌｃｒｏループ
５８  平たいときの開いたＶ字カット
５９  湾曲時の閉じたＶ字カット
６０  ＳＴＥＭを収容するための溝掘り特徴部
【図１】
2021522030.tif 000003
【図２】
2021522030.tif 000004
【図３】
2021522030.tif 000005
【図４】
2021522030.tif 000006
【図５】
2021522030.tif 000007
【図６】
2021522030.tif 000008
【図７】
2021522030.tif 000009
【図８】
2021522030.tif 000010
【図９】
2021522030.tif 000011
【図１０】
2021522030.tif 000012
【図１１】
2021522030.tif 000013
【図１２】
2021522030.tif 000014
【図１３】
2021522030.tif 000015
【図１４】
2021522030.tif 000016
【図１５】
2021522030.tif 000017
【図１６】
2021522030.tif 000018
【図１７】
2021522030.tif 000019
【図１８ａ】
2021522030.tif 000020
【図１８ｂ】
2021522030.tif 000021
【図１８ｃ】
2021522030.tif 000022
【図１９】
2021522030.tif 000023
【図２０】
2021522030.tif 000024
【図２１ａ】
2021522030.tif 000025
【図２１ｂ】
2021522030.tif 000026
【図２２】
2021522030.tif 000027
【図２３】
2021522030.tif 000028
【図２４ａ】
2021522030.tif 000029
【図２４ｂ】
2021522030.tif 000030
【図２４ｃ】
2021522030.tif 000031
【図２５ａ】
2021522030.tif 000032
【図２５ｂ】
2021522030.tif 000033
【図２６】
2021522030.tif 000034
【図２７】
2021522030.tif 000035
【図２８ａ】
2021522030.tif 000036
【図２８ｂ】
2021522030.tif 000037
【図２９】
2021522030.tif 000038
【図３０ａ】
2021522030.tif 000039
【図３０ｂ】
2021522030.tif 000040
【図３１】
2021522030.tif 000041
【図３２ａ】
2021522030.tif 000042
【図３２ｂ】
2021522030.tif 000043
【図３３ａ】
2021522030.tif 000044
【図３３ｂ】
2021522030.tif 000045
【図３４】
2021522030.tif 000046
【図３５】
2021522030.tif 000047
【図３６ａ】
2021522030.tif 000048
【図３６ｂ】
2021522030.tif 000049
【図３７】
2021522030.tif 000050
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
少なくとも１つのコイル状にすることができる割り管型伸縮部材（ＳＴＥＭ）であって、中心軸を有しており、前記ＳＴＥＭを非コイル状にすることによって軸線に沿って伸ばすことが可能、かつ前記ＳＴＥＭをコイル状にすることによって前記同じ軸線に沿って再び格納することが可能であり、非コイル状にされるときに前記ＳＴＥＭの先端を形成する端部を有し、伸ばされた／非コイル状にされたときに凹側および凸側を有する、少なくとも１つのＳＴＥＭと、
１つ以上の接続部によって前記少なくとも１つのＳＴＥＭの前記先端の前記凸側に取り付けられることで、格納時にコイル状になる前記ＳＴＥＭの前記先端の作用によって該コイル状のＳＴＥＭの残りの部分に向かって付勢されるハンドルと
を備える管型伸縮部材（ＳＴＥＭ）システム。
【請求項２】
前記ハンドルは、前記少なくとも１つのコイル状にすることができるＳＴＥＭが伸ばされたときに地面に係合することで、前記ＳＴＥＭの前記先端を支持する、請求項１に記載の割り管型伸縮部材（ＳＴＥＭ）システム。
【請求項３】
前記ハンドルは、少なくとも１つのキャスタまたは滑り足上に支持される、請求項２に記載の割り管型伸縮部材（ＳＴＥＭ）システム。
【請求項４】
前記ハンドルを前記少なくとも１つのＳＴＥＭの前記先端の前記凸側に取り付ける接続部が、前記ＳＴＥＭの前記中心軸上に位置し、または前記ＳＴＥＭの前記中心軸に隣接して位置する、請求項１〜３のいずれか一項に記載の割り管型伸縮部材（ＳＴＥＭ）システム。
【請求項５】
前記少なくとも１つのコイル状にすることができるＳＴＥＭの前記先端は、前記ハンドルに対して平たくクランプされる、請求項１〜４のいずれか一項に記載の割り管型伸縮部材（ＳＴＥＭ）システム。
【請求項６】
前記ＳＴＥＭは、伸ばされたときに、５０ｍｍ〜１００ｍｍ、好ましくは６５〜８５ｍｍ、より好ましくは約７５ｍｍの幅を有し、１００〜１８０度の間、好ましくは約１３０度の円弧を定める、請求項１〜５のいずれか一項に記載の割り管型伸縮部材（ＳＴＥＭ）システム。
【請求項７】
前記少なくとも１つのコイル状にすることができるＳＴＥＭのコイル状にされた部分を保持するためのハウジングを含む、請求項１〜６のいずれか一項に記載の割り管型伸縮部材（ＳＴＥＭ）システム。
【請求項８】
前記ハウジングは、地面に係合し、随意により少なくとも１つのキャスタまたは滑り足を含む、請求項１〜７のいずれか一項に記載の割り管型伸縮部材（ＳＴＥＭ）システム。
【請求項９】
前記少なくとも１つのＳＴＥＭに取り付けられたスクリーンを含み、該スクリーンは、前記少なくとも１つのＳＴＥＭおよび該スクリーンを一緒にコイル状および非コイル状にすることを可能にするアタッチメントによって前記少なくとも１つのＳＴＥＭに取り付けられる、請求項１〜８のいずれか一項に記載の割り管型伸縮部材（ＳＴＥＭ）システム。
【請求項１０】
少なくとも２つのＳＴＥＭを備え、該少なくとも２つのＳＴＥＭは、互いに間隔を空けて位置し、平行な軸線に沿って伸縮可能であり、前記スクリーンは、向かい合う辺に沿って前記少なくとも２つのＳＴＥＭによって支持される、請求項９に記載の割り管型伸縮部材（ＳＴＥＭ）システム。
【請求項１１】
前記ハンドル、前記少なくとも２つのＳＴＥＭ、および前記ハウジングが、前記スクリーンを支持する矩形のフレームを形成する、請求項７または８と請求項９および１０の両方との組み合わせに記載の割り管型伸縮部材（ＳＴＥＭ）システム。
【請求項１２】
前記少なくとも１つのＳＴＥＭは、スプールに取り付けられる、請求項１〜１１のいずれか一項に記載の割り管型伸縮部材（ＳＴＥＭ）システム。
【請求項１３】
前記スプールは、前記スクリーンの格納を支援するように構成されたばねによって付勢される、請求項１２に記載の割り管型伸縮部材（ＳＴＥＭ）システム。
【請求項１４】
前記少なくとも１つのＳＴＥＭの前記先端は、例えば接着剤または機械的な固定によって、例えば縫合、溶接、接着剤、リベット、またはハトメにより、随意によりボルトとの組み合わせにおいて、ただ１つの地点において前記ハンドルに直接取り付けられる、請求項１〜１３のいずれか一項に記載の割り管型伸縮部材（ＳＴＥＭ）システム。
【請求項１５】
前記少なくとも１つのＳＴＥＭの前記先端は、湾曲した形状または斜めの／面取りされた形状（すなわち、前記ＳＴＥＭの端部が前記ＳＴＥＭの中心軸に直交しない）である、請求項１〜１４のいずれか一項に記載の割り管型伸縮部材（ＳＴＥＭ）システム。
【請求項１６】
前記少なくとも１つのＳＴＥＭをクランプするクランプを含み、前記クランプは、前記少なくとも１つのＳＴＥＭを前記ＳＴＥＭの長さの途中でクランプし、前記クランプの領域において前記ＳＴＥＭのねじれを引き起こす前記クランプの領域における前記ＳＴＥＭの前記凹側および凸側の形成を防止する、請求項１〜１５のいずれか一項に記載の割り管型伸縮部材（ＳＴＥＭ）システム。
【請求項１７】
一時的または恒久的な屋内または屋外スクリーン、部屋の仕切り、展示スクリーン、レーザまたはＸ線または溶接のための安全スクリーン、引き下ろしドア（例えば、ガレージ扉）などのドア、窓の日よけ、カーテンまたはブラインド、遮音スクリーン、可搬パーティションスクリーン、システム全体が非鉄である場合のＭＲＩ走査室のスクリーンの形態であり、随意によりホワイトボード、黒板、映写面、ピンボードおよび／またはフックとループとによるボード、ポスター、鏡、太陽光アレイ、鏡面フィルム面、パラボラアンテナ、装飾パネル、光起電ソーラーアレイ、例えばＯＬＥＤ  ＴＶなどの可撓テレビまたはモニタ、またはＬＥＤライトとして機能することができ、あるいは例えば上述の機能を提供するために他の材料を取り付けることが可能である支持構造体として機能することができる、請求項１〜１６のいずれか一項に記載の管型伸縮部材（ＳＴＥＭ）システム。
【請求項１８】
前記少なくとも１つのＳＴＥＭは、水平方向、または斜め上方または下方を含む上方または下方へと非コイル状にされ、あるいは内側または後方に湾曲させられるように構成される、請求項１〜１５のいずれか一項に記載の管型伸縮部材（ＳＴＥＭ）システム。
【国際調査報告】
2021522030.tif 000051
2021522030.tif 000052
2021522030.tif 000053
2021522030.tif 000054